(57)【特許請求の範囲】
【請求項１】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、
前記ローミング網に含まれ位置情報提供機能を有する第３の制御局と、が協調してサービス制御を行う移動通信サービス制御システムにおいて、
前記第３の制御局が、前記ローミング網に含まれ且つローミングユーザーに当該ローミングユーザーの位置情報に対応した情報を送信するサービスプロバイダからの位置情報問合せに応じて、前記第２の制御局にローミングユーザーの在圏情報を要求し、
前記第２の制御局が、前記第３の制御局からの在圏情報要求に応じて、保持しているユーザーの情報からローミングユーザーに関する情報を検索して、検索した当該ローミングユーザーに関する情報を第３の制御局に通知し、
前記第３の制御局が、前記第２の制御局から通知された前記ローミングユーザーに関する情報に基づいて、当該ローミングユーザーの位置情報を取得して、取得したローミングユーザーの位置情報を前記サービスプロバイダに提供することを特徴とする移動通信サービス制御方法。
【請求項２】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、
前記ローミング網に含まれ位置情報提供機能を有する第３の制御局と、が協調してサービス制御を行う移動通信サービス制御システムにおいて、
前記第２の制御局が、ローミングユーザーが特定のサービスエリアに移動したこと、あるいは、当該特定のサービスエリアに在圏することを検知した際に、前記第３の制御局に対してローミングユーザーの位置変更情報を通知し、
前記第３の制御局が、前記特定のサービスエリア内に前記ローミングユーザーが在圏していることを、前記ローミング網に含まれ且つ前記ローミングユーザーに当該ローミングユーザーの位置情報に対応した情報を送信するサービスプロバイダに通知することを特徴とする移動通信サービス制御方法。
【請求項３】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、が協調してサービス制御を行う移動通信サービス制御システムにおいて、
前記第２の制御局が、ローミングユーザーの在圏情報を提供する機能を有し、サービスエリア内に在圏するローミングユーザーに関する情報を、前記ローミング網に含まれ且つ前記ローミングユーザーに当該ローミングユーザーの位置情報に対応した情報を送信するサービスプロバイダに提供することを特徴とする移動通信サービス制御方法。
【請求項４】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、が協調してサービス制御を行う移動通信サービス制御システムにおいて、
前記第２の制御局が、ローミングユーザーが特定のサービスエリアに移動したこと、あるいは、当該特定のサービスエリアに在圏することを検知した際に、前記ローミングユーザーに関する情報を、前記ローミング網に含まれ且つ前記ローミングユーザーに当該ローミングユーザーの位置情報に対応した情報を送信するサービスプロバイダに提供することを特徴とする移動通信サービス制御方法。
【請求項５】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、
前記ローミング網に含まれ位置情報提供機能を有する第３の制御局と、が協調してサービス制御を行う移動通信サービス制御システムであって、
前記第３の制御局は、前記ローミング網に含まれ且つローミングユーザーに当該ローミングユーザーの位置情報に対応した情報を送信するサービスプロバイダからの位置情報問合せに応じて、前記第２の制御局にローミングユーザーの在圏情報を要求し、
前記第２の制御局は、前記第３の制御局からの在圏情報要求に応じて、保持しているユーザーの情報からローミングユーザーに関する情報を検索して、検索した当該ローミングユーザーに関する情報を第３の制御局に通知し、
前記第３の制御局は、前記第２の制御局から通知された前記ローミングユーザーに関する情報に基づいて、当該ローミングユーザーの位置情報を取得して、取得したローミングユーザーの位置情報を前記サービスプロバイダに提供することを特徴とする移動通信サービス制御システム。
【請求項６】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、
前記ローミング網に含まれ位置情報提供機能を有する第３の制御局と、が協調してサービス制御を行う移動通信システムであって、
前記第２の制御局は、ローミングユーザーが特定のサービスエリアに移動したこと、あるいは、当該特定のサービスエリアに在圏することを検知した際に、前記第３の制御局に対してローミングユーザーの位置変更情報を通知し、
前記第３の制御局は、前記特定のサービスエリア内に前記ローミングユーザーが在圏していることを、前記ローミング網に含まれ且つ前記ローミングユーザーに当該ローミングユーザーの位置情報に対応した情報を送信するサービスプロバイダに通知することを特徴とする移動通信サービス制御システム。
【請求項７】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、が協調してサービス制御を行う移動通信サービス制御システムであって、
前記第２の制御局は、ローミングユーザーの在圏情報を提供する機能を有しており、サービスエリア内に在圏するローミングユーザーに関する情報を、前記ローミング網に含まれ且つ前記ローミングユーザーに当該ローミングユーザーの位置情報に対応した情報を送信するサービスプロバイダに提供することを特徴とする移動通信サービス制御システム。
【請求項８】
ホームメモリ機能を有し、ユーザーが契約しているネットワークであるホーム網に含まれる第１の制御局と、
前記ユーザーが契約しているネットワークと異なるネットワークであるローミング網に含まれ、前記ユーザーが前記ローミング網を介して通信を行うときに当該ユーザーの情報を前記第１の制御局から受け取り一時的に保持する機能を有する第２の制御局と、が協調してサービス制御を行う移動通信サービス制御システムであって、
前記第２の制御局は、ローミングユーザーが特定のサービスエリアに移動したこと、あるいは、当該特定のサービスエリアに在圏することを検知した際に、前記ローミングユーザーに関する情報を、前記ローミング網に含まれ且つ前記ローミングユーザーに当該ローミングユーザーの位置情報に対応した情報を送信するサービスプロバイダに提供することを特徴とする移動通信サービス制御システム。
【発明の詳細な説明】
【０００１】
【発明の属する技術分野】
本発明は、移動通信サービス制御方法及び移動通信サービス制御システムに関する。
【０００２】
【従来の技術】
移動体通信ネットワークの標準化機構である３ＧＰＰ（Third Generation Partnership Project）で提唱されている位置情報サービスは、図５に示すような制御方式となっている。この制御方式では、ホームメモリ機能を有する制御局（以下、ＨＬＲ：Home Location Registerと称す）１０１と、位置情報提供機能を有する制御局(以下、ＧＭＬＣ：Gateway Mobile Location Centerと称す)１０３と、が協調してサービス制御を行っている。まず、位置情報に関するサービスプロバイダ（以下、ＩＳＰ：Internet Service Providerと略す）１０４がＧＭＬＣ１０３に対して位置情報要求を出し（図５中、▲１▼）、ＧＭＬＣ１０３がＨＬＲ１０１に対して在圏するＭＳＣ（Mobile Switching Center）１０５の位置を問合せ（図５中、▲２▼，▲３▼）、それを元にＧＭＬＣ１０３が該当するＭＳＣ１０５に位置情報要求を出して（図５中、▲４▼）、該当するＭＳＣ１０５が移動機（ユーザー）１０６の位置情報を聞き（図５中、▲５▼，▲６▼）、その情報をＧＭＬＣ１０３が受信し（図５中、▲７▼）、ＧＭＬＣ１０３がＩＳＰ１０４に対して位置情報を通知する（図５中、▲８▼）ことになる。
【０００３】
【発明が解決しようとする課題】
ところが、この位置情報に関するサービスをＩＳＰが提供する際、そのＩＳＰが情報提供可能なサービスエリア内にユーザーが在圏している事が前提となっている。つまり、図６のようにＩＳＰ１０４のサービスエリア内にユーザー（移動機）１０６が在圏していないローミング時、ＩＳＰ１０４がホーム網のＧＭＬＣ１０３から位置情報を得ることは可能であるが、ローミング網における情報を保持していないため、サービス提供が不可能である。
【０００４】
また、ローミング先のＩＳＰがローミングユーザー向けに位置情報サービスを提供することも不可能ではないが、ローミング先のＩＳＰはローミング中のユーザー情報を把握することができない。ユーザー情報を把握するためには、ローミング先のＩＳＰがホーム網のＧＭＬＣに対して全契約者の契約情報を検索し、ローミングユーザーを発見しなくてはならないが、全ユーザーの位置情報を検索するには、多くの時間がかかってしまうと共に、その検索を行うのにはホームメモリ局に多大な負荷がかかるなどの問題があるため、実質的に不可能である。
【０００５】
また、全ローミングユーザーの情報を提供する場合、その全ての情報がローミング網とホーム網を行き来することになるため、そのデータを短時間でやり取りするためにはローミング網とホーム網をつなぐ伝送路を大量に確保する必要がある。しかしながら、日本の場合だと、ローミング網とホーム網を結ぶ線は非常に長距離になるため、それだけの伝送路を確保するためには莫大なコストがかかってしまうので、現実的なものではない。
【０００６】
そこで、本発明は、上記問題点を解決し、ローミング先でのローミングユーザーに対して容易にサービス提供を行うことが可能な移動通信サービス制御方法及び移動通信サービス制御システムを提供することを課題とする。
【０００７】
【課題を解決するための手段】
ところで、ＧＬＲ（Gateway Location Registers）という装置が存在している。このＧＬＲは、ローミングサービスを契約している加入者の移動に伴い（特に大都市圏において）頻繁に発生する位置登録に際し、ホーム網のＨＬＲへ毎回位置登録を行うと、ホーム網とローミング網をまたがる信号量が非常に大きなものであるため、初回にローミング網への移動に関する位置登録を行った後は、その情報の複製をローミング網のＧＬＲに保存しておき、２回目以降の移動時にはＨＬＲへのアクセスなしに加入者情報を利用することを可能とする機能を有している。このように、ＧＬＲはローミングユーザーのローミング状況を把握しているので、ローミング網にあるＧＭＬＣまたはＧＬＲに、付加機能を加えることにより、ローミング網にあるＩＳＰがローミングユーザーに対して、位置情報もしくは加入者情報を提供することが可能となる。
【０００８】
しかしながら、既存の技術では、ＧＬＲがＧＭＬＣもしくはＩＳＰとデータをやり取りする手段がないので、図７に示されるように、単純にＧＭＬＣ１０３ａ，１０３ｂとＧＬＲ１０７を組み合わせるだけでは、上述した課題を解決することが困難である。というのも、ＩＳＰ1１０４ａは移動機（ユーザー）１０６のいるローミング網のサービスエリアの情報は知っているが、移動機１０６のローミング状況を知っているわけではない（知るためにはＧＭＬＣ1１０３ａとＨＬＲ１０１の間でデータをやり取りしなくてはならないが、それは先に示した理由で困難である）。また、ＩＳＰ2１０４ｂは移動機１０６のローミング情報は知っている（もしくは、知るのが容易である）が、自己のサービスエリアではないため、付加サービスをＩＳＰ2１０４ｂが提供するのは困難である。
【０００９】
上記課題を解決するために、本発明に係る移動通信サービス制御方法は、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、ローミング網に含まれ位置情報提供機能を有する第３の制御局と、が協調してサービス制御を行う移動通信サービス制御システムにおいて、第３の制御局が、ローミング網に含まれ且つローミングユーザーに当該ローミングユーザーの位置情報に対応した情報を送信するサービスプロバイダからの位置情報問合せに応じて、第２の制御局にローミングユーザーの在圏情報を要求し、第２の制御局が、第３の制御局からの在圏情報要求に応じて、保持しているユーザーの情報からローミングユーザーに関する情報を検索して、検索した当該ローミングユーザーに関する情報を第３の制御局に通知し、第３の制御局が、第２の制御局から通知されたローミングユーザーに関する情報に基づいて、当該ローミングユーザーの位置情報を取得して、取得したローミングユーザーの位置情報をサービスプロバイダに提供することを特徴としている。
【００１０】
一方、本発明に係る移動通信サービス制御システムは、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、ローミング網に含まれ位置情報提供機能を有する第３の制御局と、が協調してサービス制御を行う移動通信サービス制御システムであって、第３の制御局は、ローミング網に含まれ且つローミングユーザーに当該ローミングユーザーの位置情報に対応した情報を送信するサービスプロバイダからの位置情報問合せに応じて、第２の制御局にローミングユーザーの在圏情報を要求し、第２の制御局は、第３の制御局からの在圏情報要求に応じて、保持しているユーザーの情報からローミングユーザーに関する情報を検索して、検索した当該ローミングユーザーに関する情報を第３の制御局に通知し、第３の制御局は、第２の制御局から通知されたローミングユーザーに関する情報に基づいて、当該ローミングユーザーの位置情報を取得して、取得したローミングユーザーの位置情報をサービスプロバイダに提供することを特徴としている。
【００１１】
これら本発明に係る移動通信サービス制御方法及び移動通信サービス制御システムそれぞれによれば、サービスプロバイダからの位置情報問合せに応じて、第３の制御局から第２の制御局に対してローミングユーザーの在圏情報が要求されると、第２の制御局により、第３の制御局からの在圏情報要求に応じて、保持されているユーザーの情報からローミングユーザーに関する情報が検索されて、検索された当該ローミングユーザーに関する情報が第３の制御局に通知される。そして、第３の制御局により、第２の制御局から通知されたローミングユーザーに関する情報に基づいて、当該ローミングユーザーの位置情報が取得されて、取得されたローミングユーザーの位置情報がサービスプロバイダに提供される。このように、サービスプロバイダと、第２の制御局と、第３の制御局との間で通信を可能とすることによって、ローミング網にあるサービスプロバイダが、ローミングユーザーの位置情報に対応した情報を当該ローミングユーザーに容易に提供することができる。
【００１２】
また、上記課題を解決するために、本発明に係る移動通信サービス制御方法は、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、ローミング網に含まれ位置情報提供機能を有する第３の制御局と、が協調してサービス制御を行う移動通信サービス制御システムにおいて、第２の制御局が、ローミングユーザーが特定のサービスエリアに移動したこと、あるいは、当該特定のサービスエリアに在圏することを検知した際に、第３の制御局に対してローミングユーザーの位置変更情報を通知し、第３の制御局が、特定のサービスエリア内にローミングユーザーが在圏していることを、ローミング網に含まれ且つローミングユーザーに当該ローミングユーザーの位置情報に対応した情報を送信するサービスプロバイダに通知することを特徴としている。
【００１３】
一方、本発明に係る移動通信サービス制御システムは、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、ローミング網に含まれ位置情報提供機能を有する第３の制御局と、が協調してサービス制御を行う移動通信システムであって、第２の制御局は、ローミングユーザーが特定のサービスエリアに移動したこと、あるいは、当該特定のサービスエリアに在圏することを検知した際に、第３の制御局に対してローミングユーザーの位置変更情報を通知し、第３の制御局は、特定のサービスエリア内にローミングユーザーが在圏していることを、ローミング網に含まれ且つローミングユーザーに当該ローミングユーザーの位置情報に対応した情報を送信するサービスプロバイダに通知することを特徴としている。
【００１４】
これら本発明に係る移動通信サービス制御方法及び移動通信サービス制御システムそれぞれによれば、第２の制御局により、ローミングユーザーが特定のサービスエリアに移動したこと、あるいは、当該特定のサービスエリアに在圏することが検知された際に、第３の制御局に対してローミングユーザーの位置変更情報が通知される。そして、第３の制御局により、特定のサービスエリア内にローミングユーザーが在圏していることがサービスプロバイダに通知される。このように、サービスプロバイダと、第２の制御局と、第３の制御局との間で通信を可能とすることによって、ローミング網にあるサービスプロバイダが、ローミングユーザーの位置情報に対応した情報を当該ローミングユーザーに容易に提供することができる。
【００１５】
また、上記課題を解決するために、本発明に係る移動通信サービス制御方法は、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、が協調してサービス制御を行う移動通信サービス制御システムにおいて、第２の制御局が、ローミングユーザーの在圏情報を提供する機能を有し、サービスエリア内に在圏するローミングユーザーに関する情報を、ローミング網に含まれ且つローミングユーザーに当該ローミングユーザーの位置情報に対応した情報を送信するサービスプロバイダに提供することを特徴としている。
【００１６】
一方、本発明に係る移動通信サービス制御システムは、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、が協調してサービス制御を行う移動通信サービス制御システムであって、第２の制御局は、ローミングユーザーの在圏情報を提供する機能を有しており、サービスエリア内に在圏するローミングユーザーに関する情報を、ローミング網に含まれ且つローミングユーザーに当該ローミングユーザーの位置情報に対応した情報を送信するサービスプロバイダに提供することを特徴としている。
【００１７】
これら本発明に係る移動通信サービス制御方法及び移動通信サービス制御システムそれぞれによれば、ローミングユーザーの在圏情報を提供する機能を有する第２の制御局により、サービスエリア内に在圏するローミングユーザーに関する情報がサービスプロバイダに提供される。このように、サービスプロバイダと、第２の制御局との間で通信を可能とすることによって、ローミング網にあるサービスプロバイダが、ローミングユーザーの位置に対応した情報を当該ローミングユーザーに容易に提供することができる。
【００１８】
また、上記課題を解決するために、本発明に係る移動通信サービス制御方法は、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、が協調してサービス制御を行う移動通信サービス制御システムにおいて、第２の制御局が、ローミングユーザーが特定のサービスエリアに移動したこと、あるいは、当該特定のサービスエリアに在圏することを検知した際に、ローミングユーザーに関する情報を、ローミング網に含まれ且つローミングユーザーに当該ローミングユーザーの位置情報に対応した情報を送信するサービスプロバイダに提供することを特徴としている。
【００１９】
一方、本発明に係る移動通信サービス制御システムは、ホームメモリ機能を有し、ユーザーが契約しているネットワークであるホーム網に含まれる第１の制御局と、ユーザーが契約しているネットワークと異なるネットワークであるローミング網に含まれ、ユーザーがローミング網を介して通信を行うときに当該ユーザーの情報を第１の制御局から受け取り一時的に保持する機能を有する第２の制御局と、が協調してサービス制御を行う移動通信サービス制御システムであって、第２の制御局は、ローミングユーザーが特定のサービスエリアに移動したこと、あるいは、当該特定のサービスエリアに在圏することを検知した際に、ローミングユーザーに関する情報を、ローミング網に含まれ且つローミングユーザーに当該ローミングユーザーの位置情報に対応した情報を送信するサービスプロバイダに提供することを特徴としている。
【００２０】
これら本発明に係る移動通信サービス制御方法及び移動通信サービス制御システムそれぞれによれば、第２の制御局により、ローミングユーザーが特定のサービスエリアに移動したこと、あるいは、当該特定のサービスエリアに在圏することを検知した際に、ローミングユーザーに関する情報がサービスプロバイダに提供される。このように、サービスプロバイダと、第２の制御局との間で通信を可能とすることによって、ローミング網にあるサービスプロバイダが、ローミングユーザーの位置に対応した情報を当該ローミングユーザーに容易に提供することができる。
【００２１】
また上述した全ての本発明に係る移動通信サービス制御方法及び移動通信サービス制御システムそれぞれにおいては、ローミング網のサービスプロバイダがローミングユーザーに対して情報を提供する際に、サービスプロバイダがローミングユーザーのホーム網にある第１の制御局に対し、全ユーザーの位置情報を検索する必要がなく、第２の制御局に登録されているユーザーに位置情報を提供させればよい。また、全ローミングユーザーの情報を提供する場合でも、その全ての情報がローミング網とホーム網を行き来することはないので、全ローミングユーザーの情報を提供するのも容易となる。
【００２２】
【発明の実施の形態】
本発明の実施形態に係る移動通信サービス制御方法及び移動通信サービス制御システムについて図面を参照して説明する。なお、説明において、同一要素又は同一機能を有する要素には、同一符号を用いることとし、重複する説明は省略する。
【００２３】
（第１実施形態）
まず、図１に基づいて、本発明の第１実施形態に係る移動通信サービス制御システムを説明する。図１は、本第１実施形態に係る移動通信サービス制御システムの説明図である。
【００２４】
移動通信サービス制御システム１は、第１の制御局としてのＨＬＲ３と、第２の制御局としてのＧＬＲ５と、第３の制御局としてのＧＭＬＣ７と、ＭＳＣ９とを含んでおり、特に、ＨＬＲ３と、ＧＬＲ５と、ＧＭＬＣ７とが協調してサービス制御を行っている。
【００２５】
ＨＬＲ３は、ホームメモリ機能を有しており、ホーム網に登録されているユーザー（移動機）１１に関するユーザー情報や位置情報を記憶している。ＧＬＲ５は、ユーザー１１が契約しているネットワーク（ホーム網）と異なるネットワーク（ローミング網）を介して通信を行うときに当該ユーザー１１の情報をＨＬＲ３から受け取り一時的に保持する機能を有しており、ローミング網にアクセスのあったローミング網に登録されているユーザー以外のユーザー（ローミングユーザー：ローミング網にある移動機）１１に関する情報（ユーザー情報、位置情報等）を一時的に格納する。
【００２６】
ＧＭＬＣ７は、位置情報提供機能を有しており、ＩＳＰ１３からの位置情報問合せに応じて、当該ＩＳＰ１３にローミングユーザー１１の位置情報を提供する。ＭＳＣ９は、移動後のローミング網におけるユーザー（ローミングユーザー１１を含む）を管轄する交換局である。
【００２７】
次に、上述した構成の移動通信サービス制御システム１におけるサービス制御方法を説明する。
【００２８】
まず、ＩＳＰ１３がＧＭＬＣ７に対して、ローミングユーザー１１の位置情報を提供するように要求（位置情報問合せ）を送信する（図１中、▲１▼）。次に、ＧＭＬＣ７がＧＬＲ５に対して、ローミングユーザー１１の情報を得るための要求（在圏情報要求）を送信する（図１中、▲２▼）。ＧＬＲ５は、ＧＭＬＣ７からの要求を受けて、ローミングユーザー１１に関する情報（ユーザー情報、ローミングユーザー１１が在圏するＭＳＣ９の情報等）をＧＭＬＣ７に送信して通知する（図１中、▲３▼）。
【００２９】
ＧＭＬＣ７は、ＧＬＲ５から送信されたローミングユーザー１１に関する情報（ユーザー情報、ローミングユーザー１１が在圏するＭＳＣ９の情報等）に基づいて、対応するＭＳＣ９に位置情報の検索リクエストを送信する（図１中、▲４▼）。検索リクエストを受けて、ＭＳＣ９はローミングユーザー１１の位置情報を検索し、検索したローミングユーザー１１の位置情報をＧＭＬＣ７に送信する（図１中、▲５▼，▲６▼，▲７▼）。これにより、ＧＭＬＣ７はローミングユーザー１１の位置情報を取得することになる。
【００３０】
ＧＭＬＣ７は、取得したローミングユーザー１１の位置情報をＩＳＰ１３に送信して提供する（図１中、▲８▼）。これにより、ＩＳＰ１３は、ローミングユーザー１１に対してローミングユーザー１１の位置情報に対応した情報を提供することが可能となる。
【００３１】
ここで、たとえば、ＩＳＰ１３がローミングユーザー１１に対して最寄りの大使館情報を与える場合を考えると、まず、ＩＳＰ１３がＧＭＬＣ７に対してローミングユーザー１１の位置情報を得るためのリクエストを送る。次に、ＧＭＬＣ７がＧＬＲ５に対してローミングユーザー１１の位置情報を得るためのリクエストを送る。そして、ＧＬＲ５がＧＭＬＣ７に対してローミングユーザー１１に関する情報を通知する。この提供された情報に基づき、ＧＭＬＣ７がＭＳＣ９に対して位置情報の問合せを行い、ＭＳＣ９は検索したローミングユーザー１１の位置情報をＧＭＬＣ７に送る。最後に、ＧＭＬＣ７がローミングユーザー１１の位置情報をＩＳＰ１３に対して提供し、ＩＳＰ１３は提供された位置情報をもとに、最寄りの大使館を検索して、大使館情報をローミングユーザー１１に送信する。
【００３２】
以上のように、本第１実施形態によれば、ＩＳＰ１３からの位置情報問合せに応じて、ＧＭＬＣ７からＧＬＲ５に対してローミングユーザー１１の在圏情報が要求されると、ＧＬＲ５により、ＧＭＬＣ７からの在圏情報要求に応じて、保持されているユーザーの情報からローミングユーザー１１に関する情報が検索されて、検索された当該ローミングユーザー１１に関する情報がＧＭＬＣ７に通知される。そして、ＧＭＬＣ７により、ＧＬＲ５から通知されたローミングユーザー１１に関する情報に基づいて、当該ローミングユーザー１１の位置情報が取得されて、取得されたローミングユーザー１１の位置情報がＩＳＰ１３に提供される。このように、ＩＳＰ１３と、ＧＬＲ５と、ＧＭＬＣ７との間で通信を可能とすることによって、ローミング網にあるＩＳＰ１３が、ローミングユーザー１１の位置情報に対応した情報を当該ローミングユーザー１１に容易に提供することができる。
【００３３】
（第２実施形態）
まず、図２に基づいて、本発明の第２実施形態に係る移動通信サービス制御システムを説明する。図２は、本第２実施形態に係る移動通信サービス制御システムの説明図である。
【００３４】
移動通信サービス制御システム２１は、第１実施形態における移動通信サービス制御システム１と同じく、第１の制御局としてのＨＬＲ３と、第２の制御局としてのＧＬＲ５と、第３の制御局としてのＧＭＬＣ７と、ＭＳＣ９とを含んでおり、特に、ＨＬＲ３と、ＧＬＲ５と、ＧＭＬＣ７とが協調してサービス制御を行っている。
【００３５】
ＧＬＲ５は、ローミングユーザー（ローミング網にある移動機）１１がローミング網内における特定のサービスエリアに移動したこと、あるいは、当該特定のサービスエリアに在圏することを検知した際に、ＧＭＬＣ７に対してローミングユーザー１１の位置変更情報を通知する。ＧＭＬＣ７は、ＧＬＲ５からのローミングユーザー１１の位置変更情報を受けて、特定のサービスエリア内にローミングユーザー１１が在圏していることをＩＳＰ１３に通知する。
【００３６】
続いて、上述した構成の移動通信サービス制御システム２１におけるサービス制御方法を説明する。
【００３７】
ローミングユーザー１１がＭＳＣ９を経由してＧＬＲ５に対して、位置登録情報を送信する（図２中、▲１▼，▲２▼）。これにより、ＧＬＲ５は、ローミングユーザー１１がローミング網内における特定のサービスエリアに移動したこと、あるいは、当該特定のサービスエリアに在圏するか否かを検知ことができる。ＧＬＲ５は、ローミングユーザー１１がローミング網内における特定のサービスエリアに移動したこと、あるいは、当該特定のサービスエリアに在圏することを検知すると、ＧＬＭＣ７に対して、ローミングユーザー１１の位置変更情報を送信して通知する（図２中、▲３▼）。
【００３８】
そして、ＧＭＬＣ７７は、ローミングユーザー１１の位置情報、ローミング網内における特定のサービスエリアにローミングユーザー１１が在圏していることをＩＳＰ１３に送信して提供する（図２中、▲４▼）。これにより、ＩＳＰ１３は、ローミングユーザー１１に対してローミングユーザー１１の位置情報に対応した情報を提供することが可能となる。
【００３９】
ここで、たとえば、ＩＳＰ１３がローミングユーザー１１に対して、東京２３区内ヘ最初にローミングインした際に都内の公共交通機関の情報（ＪＲや地下鉄などの路線情報）を提供する場合を考えると、まず、ローミングユーザー１１が最初にローミングインした際に、位置登録を行う。その位置登録が行われたという情報をＧＬＲ５からＧＭＬＣ７へ送る。そして、ＧＭＬＣ７がＩＳＰ１３に対して、ローミングユーザー１１の位置情報を提供する。最後に、提供されたローミングユーザー１１の位置情報を元にして、ＩＳＰ１３がローミングユーザー１１に対して都内の交通情報を送る。
【００４０】
以上のように、本第２実施形態によれば、ＧＬＲ５により、ローミングユーザー１１がローミング網内における特定のサービスエリアに移動したこと、あるいは、当該特定のサービスエリアに在圏することが検知された際に、ＧＭＬＣ７に対してローミングユーザーの位置変更情報が通知される。そして、ＧＭＬＣ７により、ローミング網内における特定のサービスエリア内にローミングユーザー１１が在圏していることがＩＳＰ１３に通知される。このように、ＩＳＰ１３と、ＧＬＲ５と、ＧＭＬＣ７との間で通信を可能とすることによって、ローミング網にあるＩＳＰ１３が、ローミングユーザー１１の位置情報に対応した情報を当該ローミングユーザー１１に容易に提供することができる。
【００４１】
（第３実施形態）
まず、図３に基づいて、本発明の第３実施形態に係る移動通信サービス制御システムを説明する。図３は、本第３実施形態に係る移動通信サービス制御システムの説明図である。
【００４２】
移動通信サービス制御システム３１は、第１の制御局としてのＨＬＲ３と、第２の制御局としてのＧＬＲ５と、ＭＳＣ９とを含んでおり、特に、ＨＬＲ３と、ＧＬＲ５とが協調してサービス制御を行っている。
【００４３】
ＧＬＲ５は、ローミングユーザー（ローミング網にある移動機）１１の在圏情報を提供する機能を有し、ローミング網内におけるサービスエリア内に在圏するローミングユーザー１１に関する情報（ユーザー情報、位置情報等）をＩＳＰ１３に提供する。ＧＬＲ５は、ローミングユーザー１１の在圏情報をＭＳＣ９から取得している。
【００４４】
続いて、上述した構成の移動通信サービス制御システム３１におけるサービス制御方法を説明する。
【００４５】
ＩＳＰ１３がＧＬＲ５に対して、ローミングユーザー１１に関する情報を提供するように要求を送信する（図３中、▲１▼）。ＧＬＲ５は、ＩＳＰ１３からの要求を受けて、ＩＳＰ１３に対してローミング網内に在圏するローミングユーザー１１に関する情報を送信して提供する（図３中、▲２▼）。これにより、ＩＳＰ１３は、ローミングユーザー１１に対してローミングユーザー１１の位置に対応した情報を提供することが可能となる。
【００４６】
ここで、たとえば、ＩＳＰ１３が海外からのローミングユーザー１１に対して、ローミングユーザー１１の母国でのニュース配信サービスを行う場合を考えると、まず、ＩＳＰ１３がＧＬＲ５に対して、ローミングユーザー１１に関する情報を提供するように要求を送る。ＧＬＲ５は、ＩＳＰ１３からの要求を受けて、ローミング網内に在圏するローミングユーザー１１に関する情報を提供する。そして、ＩＳＰ１３がＧＬＲ５から提供されたローミングユーザー１１に関する情報をもとに、ローミングユーザー１１に対してニュースを配信する。
【００４７】
以上のように、本第３実施形態によれば、ローミングユーザー１１の在圏情報を提供する機能を有するＧＬＲ５により、サービスエリア内に在圏するローミングユーザー１１に関する情報がＩＳＰ１３に提供される。このように、ＩＳＰ１３と、ＧＬＲ５との間で通信を可能とすることによって、ローミング網にあるＩＳＰ１３が、ローミングユーザー１１の位置に対応した情報を当該ローミングユーザー１１に容易に提供することができる。
【００４８】
（第４実施形態）
まず、図４に基づいて、本発明の第４実施形態に係る移動通信サービス制御システムを説明する。図４は、本第４実施形態に係る移動通信サービス制御システムの説明図である。
【００４９】
移動通信サービス制御システム４１は、第３実施形態と同じく、第１の制御局としてのＨＬＲ３と、第２の制御局としてのＧＬＲ５と、ＭＳＣ９とを含んでおり、特に、ＨＬＲ３と、ＧＬＲ５とが協調してサービス制御を行っている。
【００５０】
ＧＬＲ５は、ローミングユーザー（ローミング網にある移動機）１１がローミング網における特定のサービスエリアに移動したこと、あるいは、当該特定のサービスエリアに在圏することを検知した際に、ローミングユーザー１１に関する情報をＩＳＰ１３に提供する。
【００５１】
続いて、上述した構成の移動通信サービス制御システム３１におけるサービス制御方法を説明する。
【００５２】
ローミングユーザー１１がＭＳＣ９を経由してＧＬＲ５に対して、位置登録情報を送る（図４中、▲１▼，▲２▼）。ＧＬＲ５は、位置登録情報を受けて、ＩＳＰ１３に、ローミングユーザー１１の位置登録変更を含むローミングユーザー１１に関する情報を通知する（図４中、▲３▼）。これにより、ＩＳＰ１３は、ローミングユーザー１１に対してローミングユーザー１１の位置に対応した情報を提供することが可能となる。
【００５３】
ここで、たとえば、ＩＳＰ１３が初めてローミングインしてきたユーザー１１に、ウエルカムメッセージを配信するサービスを行う場合を考えると、まず、ローミングインした際に、ローミングユーザー１１から位置登録情報が送信されてＧＬＲ５にて位置登録が行われる。ローミングユーザー１１から送信された位置登録情報をもとに、ＧＬＲ５がＩＳＰ１３に対して、位置登録の通知を行う。そして、ＩＳＰ１３がそのローミンダインしたユーザー１１に、ウエルカムメッセージを送信する。
【００５４】
以上のように、本第４実施形態によれば、ＧＬＲ５により、ローミングユーザー１１がローミング網における特定のサービスエリアに移動したこと、あるいは、当該特定のサービスエリアに在圏することを検知した際に、ローミングユーザー１１に関する情報がＩＳＰ１３に提供される。このように、ＩＳＰ１３と、ＧＬＲ５との間で通信を可能とすることによって、ローミング網にあるＩＳＰ１３が、ローミングユーザー１１の位置に対応した情報を当該ローミングユーザー１１に容易に提供することができる。
【００５５】
また、上述した第１〜第４実施形態においては、ローミング網のＩＳＰ１３がローミングユーザー１１に対して位置情報を提供する際に、ＩＳＰ１３がローミングユーザー１１のホーム網にあるＨＬＲ３に対し、全ユーザーの位置情報を検索する必要がなく、ＧＬＲ５に登録されているユーザーに位置情報を提供させればよい。また、全ローミングユーザー１１の情報を提供する場合でも、その全ての情報がローミング網とホーム網を行き来することはないので、全ローミングユーザー１１の情報を提供するのも容易となる。
【００５６】
【発明の効果】
以上、詳細に説明したように、本発明にあっては、ローミング先でのローミングユーザーに対して容易にサービス提供を行うことが可能な移動通信サービス制御方法及び移動通信サービス制御システムを提供することができる。
【図面の簡単な説明】
【図１】本発明の第１実施形態に係る移動通信サービス制御システムの説明図である。
【図２】本発明の第２実施形態に係る移動通信サービス制御システムの説明図である。
【図３】本発明の第３実施形態に係る移動通信サービス制御システムの説明図である。
【図４】本発明の第４実施形態に係る移動通信サービス制御システムの説明図である。
【図５】従来の移動通信サービス制御システムの説明図である。
【図６】従来の移動通信サービス制御システムの説明図である。
【図７】従来の移動通信サービス制御システムの説明図である。
【符号の説明】
１，２１，３１，４１…移動通信サービス制御システム、３，１０１…ＨＬＲ（第１の制御局）、５，１０７…ＧＬＲ（第２の制御局）、７，１０３，１０３ａ，１０３ｂ…ＧＭＬＣ（第３の制御局）、９…ＭＳＣ、１１，１０６…ローミングユーザー（移動機）、１３，１０４，１０４ａ，１０４ｂ…ＩＳＰ。
【図１】
0004176976.tif 000002
【図２】
0004176976.tif 000003
【図３】
0004176976.tif 000004
【図４】
0004176976.tif 000005
【図５】
0004176976.tif 000006
【図６】
0004176976.tif 000007
【図７】
0004176976.tif 000008